(57)【特許請求の範囲】
【請求項１】
本体（１）内に折曲可能とした長尺な板状の保形部材（２）を有していると共に、この保形部材（２）の一端付近に支持板（３）を起伏可能に設けてなり、保形部材（２）を折曲すると共に支持板（３）を起立させることにより、本体（１）を折り畳んだ状態で床面に対して垂直方向に立てて載置できるようにしたことを特徴とするマットレス構造。
【請求項２】
支持板（３）は、保形部材（２）の折曲に連動して起立するよう構成することを特徴とする請求項１記載のマットレス構造。
【発明の詳細な説明】
【０００１】
【発明の属する技術分野】
この発明は、使用時に床面に敷いて使用でき、不使用時に最小の載置スペースで保管できるようにしたマットレス構造に関するものである。
【０００２】
【従来の技術】
従来、二つ折り等に折り畳むことにより、コンパクトにして保管できるようにしたマットレスは存在した。しかし、この従来のマットレスは、床面に対して垂直方向に立てて載置するための手段を有していないため、折り畳みによりマットレスの面積が半分程度になっているとは言え、床面上のスペースが大きく取られてしまい、保管場所に困ることが多かった。
【０００３】
【発明が解決しようとする課題】
そこで、この発明は、折り畳んだときに、床面に対して垂直方向に立てて載置可能とすることにより、床面上において最小の載置スペースで保管できるようにしたマットレスを提供することを課題とする。
【０００４】
【課題を解決するための手段】
前記課題を解決するため、この発明は次のような技術的手段を講じている。
【０００５】
この発明のマットレス構造は、本体１内に折曲可能とした長尺な板状の保形部材２を有していると共に、この保形部材２の一端付近に支持板３を起伏可能に設けてなり、保形部材２を折曲すると共に支持板３を起立させることにより、本体１を折り畳んだ状態で床面に対して垂直方向に立てて載置できるようにしている。
【０００６】
また、支持板３は、保形部材２の折曲に連動して起立するよう構成することができる。
【０００７】
【発明の実施の形態】
以下、この発明の実施の形態を図面を参照して説明する。
【０００８】
この発明のマットレス構造は、本体１内に折曲可能とした長尺な板状の保形部材２を有していると共に、この保形部材２の一端付近に支持板３を起伏可能に設けてなり、保形部材２を折曲すると共に支持板３を起立させることにより、本体１を折り畳んだ状態で床面に対して垂直方向に立てて載置できるようにしたものである。
【０００９】
図１、２は、この発明のマットレス構造を採用したマットレスの透視斜視図である。このマットレスは、内部にエアーマッサージ機構４を有している。図１はエアーマッサージ機構４の作動中において、すべてのエアーバッグ４ａが給気された状態を示し、図２はエアーマッサージ機構４の停止中において、すべてのエアーバッグ４ａ内の空気が排気された状態を示している。
【００１０】
図３は、このマットレスの断面図である。このマットレスの本体１は、合成樹脂製等のもので、上面側は適度なクッション性を有するようにしている。また、本体１の一端部５は、本体１の長尺方向に収縮性を有し変形可能であると共に、通常は隆起した形状となっており、使用者が足を載置しておくようにしている。支持板３が起立していない状態では、一端部５が傾斜面となっているため、使用者は、ここに足を心地よく載置しておくことができる。
【００１１】
本体１の他端部６には、枕部７が設けられており、使用者の頭を載置しておくようにしている。枕部７は、使用者の頭の位置が安定し、快適な使用感が得られるように、本体１の上面より少し高くなっていると共に適度な硬さを有している。
【００１２】
保形部材２は、本体１の全長よりやや短い程度の長さで、本体１の底部に設けられている。保形部材２は、例えば軟質のゴム板などからなるものとし、中央部を薄く形成するなどして折曲し易いものとし、この中央部から二つ折りにできるように構成されている。また、保形部材２は、硬質の合成樹脂板からなるものとすることもでき、この場合には例えば二分割にした合成樹脂板をヒンジにより回動可能に連結して、このヒンジ部分から二つ折りにできるように構成すればよい。
【００１３】
保形部材２の上には、エアーマッサージ機構４を構成する複数のエアーバッグ４ａと、駆動装置４ｂが配置されている。各エアーバッグ４ａと駆動装置４ｂとは、図示しないホースで接続されている。駆動装置４ｂは、作動中に駆動音が発生するので、枕部７がある本体１の他端側ではなく、使用者の足を載置する一端付近に位置するようにしている。
【００１４】
各エアーバッグ４ａは、ゴム等適宜の素材でできた袋状のもので、底部に前記ホースとの接続部分が設けられており、前記ホースを介して給気及び排気ができるようになっている。図１に示したように、各エアーバッグ４ａは本体１の幅方向に延び、一般成人男性の肩から大腿部くらいまでをカバーするように配列されている。
【００１５】
各エアーバッグ４ａは、給気により膨張し、使用者の身体を押圧するようになっている。各エアーバッグ４ａ内の空気が排出されると、図２に示したように、各エアーバッグ４ａは偏平になり、隣接するエアーバッグ４ａに上から重なるようにして本体１の他端側に倒れるように構成されている。
【００１６】
なお、エアーバッグ４ａの構成は、前述したものに限定されず、形状や個数、配置態様等は適宜とすることができる。
【００１７】
駆動装置４ｂは、直方体形状の筐体に収納されたエアーコンプレッサー又はエアーポンプ、空気の分配器等から構成され、適宜箇所に設けられたスイッチにより作動し、前記ホースを介して各エアーバッグ４ａへの給気及び排気を行う。なお、駆動装置４ｂの構成も、前述したものに限定されない。
【００１８】
エアーバッグ４ａへの給気及び排気の時間、順番等の作動条件は、製造業者又は使用者により、適宜設定することができる。例えば、本体１の長尺方向に複数並んだエアーバッグ４ａが、ゆっくりとウェーブ状に膨張・収縮するように作動条件を設定するとよい。
【００１９】
支持板３は、木製、合成樹脂製、金属製等とすることができ、保形部材２の前記駆動装置４ｂを設けた側の一端に起伏可能に設けられている。具体的には、保形部材２と支持板３とを枢着させ、支持板３を回動自在なものにし起伏可能としている。
【００２０】
支持板３の寸法は、幅を保形部材２と同一とし、長さを駆動装置４ｂの高さより大きいものとしている。なお、支持板３の構成も、前述したものに限定されない。
【００２１】
このマットレスを収納する場合は、エアーマッサージ機構４を停止させた状態で、図４のように本体１を二つ折りにすると共に、支持板３を保形部材２に対して直角に起こす。本体１の折曲部分は、中央より他端側にややずれた位置としている。
【００２２】
なお、図示していないが、保形部材２を折曲すると、本体１の一端部５が他端側に引き寄せられるように構成すれば、一端部５が変形して床面に対して垂直になり、支持板３が図３に示した状態から図４に示した状態に起こされるようになる。このようにすれば、支持板３が保形部材２の折曲に連動して起立するようになる。また、支持板３は、いったん起立すると、保形部材２に対して直角の状態を保てるような構成にすることもできる。
【００２３】
そして、折曲した状態のこのマットレスを、図５のように本体１の一端部５を下にし、床面に対して垂直方向に立てる。本体１の折曲部分が中央よりややずれた位置であるため、本体１の他端部６は床面に接しないようになっている。
【００２４】
マットレスは、支持板３により本体１の一端側が平坦面になるので、起立させておくことができる。しかも、重みのある駆動装置４ｂが一端側にあるため、重心が下がり、安定した状態を保つことが可能で、倒れにくい。
【００２５】
なお、エアーマッサージ機構４を有しないマットレスにおいては、重みのある駆動装置４ｂのような部材が存在しないので、支持板３を金属製にする等、重みのあるものとすれば、より安定した起立状態を保つことができるようになる。
【００２６】
このように折り畳んで縦向きに置いたマットレスは、横向きに置く場合に比べ、床面のスペースをとらないので、保管に便利である。
【００２７】
【発明の効果】
この発明のマットレス構造は、上述のように構成されており、床面に対して垂直方向に立てて載置可能とすることにより、マットレスを床面上において最小の載置スペースで保管することができる。
【００２８】
しかも、支持板３を、保形部材２の折曲に連動して起立するよう構成すると、折り畳む際に支持板３を手で起立させる手間が省けるので、マットレスの保管作業を容易かつ迅速に行うことができる。
【図面の簡単な説明】
【図１】この発明の実施形態のマットレス構造を採用したマットレスで、エアーマッサージ機構の作動中において、すべてのエアーバッグが給気された状態の透視斜視図。
【図２】この発明の実施形態のマットレス構造を採用したマットレスで、エアーマッサージ機構の停止中において、すべてのエアーバッグ内の空気が排気された状態の透視斜視図。
【図３】この発明の実施形態のマットレス構造を採用したマットレスの断面図。
【図４】この発明の実施形態のマットレス構造を採用したマットレスを折り畳んだ状態の断面図。
【図５】この発明の実施形態のマットレス構造を採用したマットレスを折り畳み、床面に対して垂直方向に立てた状態の透視斜視図。
【符号の説明】
１  本体
２  保形部材
３  支持板
【図１】
0004572450.tif 000002
【図２】
0004572450.tif 000003
【図３】
0004572450.tif 000004
【図４】
0004572450.tif 000005
【図５】
0004572450.tif 000006